(57)【要約】【課題】使用者が現在受けているマッサージ動作を伝える表示部を備え、効果的な治療を行うことのできるマッサージ機を提供する。【解決手段】マッサージ椅子２と操作器１とからなるマッサージ機Ａであって、該操作器１には、現在マッサージ椅子２が行っているマッサージ動作を上記操作器１が内蔵するメモリーに記憶された文章で使用者に伝達する表示装置１１が備えられる。上記マッサージ動作を複数組み合わせて一つのコースとし、このようなコースを複数設けて使用者が選択可能とされる。また、上記マッサージ動作を使用者の望みに応じて単一、または組み合わせて選択可能とされる。【選択図】図１
2006262964.tif 000002
【特許請求の範囲】
【請求項１】
マッサージ椅子と操作器とからなるマッサージ機であって、該操作器には、現在マッサージ椅子が行っているマッサージ動作を上記操作器が内蔵するメモリーに記憶された文章で使用者に伝達する表示装置が備えられたマッサージ機。
【請求項２】
上記マッサージ動作を複数組み合わせて一つのコースとし、このようなコースを複数設けて使用者が選択できるようにされた請求項１に記載のマッサージ機。
【請求項３】
上記マッサージ動作を使用者の望みに応じて単一、または組み合わせて選択できるようにされた請求項１に記載のマッサージ機。
【発明の詳細な説明】
【技術分野】
【０００１】
本発明は、使用者が座ってマッサージを受けることのできる椅子式のマッサージ機に関する。
【背景技術】
【０００２】
従来、使用者が望む部位を望む時間マッサージすることのできるマッサージ装置が提案されている。
【特許文献１】特開平２−１３１７６４号公報（第１〜４頁、第１図、第２図）
【発明の開示】
【発明が解決しようとする課題】
【０００３】
しかしながら、特許文献１に開示されたマッサージ装置は、マッサージ機本体が現在行っているマッサージ動作を使用者に伝達する手段を備えていない。そのため、使用者はただ漫然とマッサージを受け、必ずしも良好な治療効果が得られるものとはいえない。本発明は、上記問題を解決して、使用者が現在受けているマッサージ動作を伝える表示部を備え、効果的な治療を行うことのできるマッサージ機を提供することをその課題とする。
【課題を解決するための手段】
【０００４】
上記課題を解決するために、本発明においては、つぎのような技術的手段を講じている。すなわち、本発明によれば、マッサージ椅子と操作器とからなるマッサージ機であって、該操作器には、マッサージ椅子が現在行っているマッサージ動作を上記操作器が内蔵するメモリーに記憶された文章で使用者に伝達する表示装置が備えられたマッサージ機が提供される。
【０００５】
メモリーに記憶された文章としては、
番号１・首の形をはさみこむように指圧します
番号２・首の付け根までしっかりほぐします
番号３・コリやすい肩のラインを上からぐぐっと指圧します
番号４・肩の大きい筋肉をぐいっとつかみ、効果的にもみほぐします
番号５・疲れやすい肩胛骨に沿ってマッサージします
番号６・腰のコリポイントを垂直に指圧します
番号７・下半身は筋肉をリズミカルにつかみもみします
番号８・手、腕をつかむようにもみほぐします
番号９・首の形に合わせてはさみこむようにほぐします
番号１０・コリ易い肩のラインを上からしっかりともみほぐします
番号１１・腰の大きな筋肉を広くもみほぐします
番号１２・腰のラインに沿って押し込み、外側の筋肉までほぐします
番号１３・下半身は筋肉をリズミカルにつかみもみ、筋肉をしっかりほぐします
番号１４・首に沿ってなでるようにさすります
番号１５・肩のラインに沿ってなでるようにさすります
番号１６・静脈の流れに沿ってなでるようにさすります
番号１７・親指で軽くつかみ上げながらさすります
番号１８・下半身は絞り上げるようにじっくりもみ、血行を促進します
番号１９・手、腕を絞り上げるようにじっくりともみます
番号２０・背骨に沿って腰から首にかけ少しずつ丁寧に伸ばしていきます
番号２１・こぶし感覚で垂直におすことでやわらかい感触で効果的に伸ばすことができます
番号２２・おしりを固定して下半身をしっかりと伸ばします
番号２３・ソフトにたたいて、緊張をほぐします
等の文章をあげることができる。
【０００６】
上記マッサージ動作を複数組み合わせて一つのコースとし、このようなコースを複数設けて使用者が選択できるようにすることが好ましい。例えば、番号２、番号５、番号６、番号１１、番号１３、番号１８を一連のコースとして全身を万遍なくマッサージするコースを設け、また、バリエーションとして他のマッサージ動作を組み合わせた全身マッサージコースを設け、適宜選択できるようにすることが好ましい。また、上記マッサージ動作を使用者の望みに応じて単一、または組み合わせて選択できるようにされてもよい。
【発明の効果】
【０００７】
請求項１に記載の本発明にかかるマッサージ機は上記のとおりであり、現在マッサージ椅子が行っているマッサージ動作を操作器が内蔵するメモリーに記憶された文章で使用者に伝達する表示装置を備えているため、表示装置を見ることにより、使用者は現在行われているマッサージ箇所に意識を集中させ、マッサージ効果を上げることができる。
【０００８】
上記マッサージ動作を複数組み合わせて一つのコースとし、このようなコースを複数設けて使用者が選択できるようにされているため、使用者の体の状態や、希望に応じて所望のコースを選ぶことができる。
【０００９】
また、上記マッサージ動作が使用者の望みに応じて単一、または組み合わせて選択できるようにされているため、例えば、肩こりの治療、腰痛の解消等を目的として使用者が独自にマッサージ動作を設定することができる。
【発明を実施するための最良の形態】
【００１０】
以下、本発明の実施形態について図面を参照して、詳細に説明する。図１は、本発明にかかるマッサージ機Ａの構成を示す説明図である。上記マッサージ機Ａは操作器１とマッサージ椅子２とからなり、操作器１には使用者が選択し、現在マッサージ椅子２が行っているマッサージ動作を表示する表示装置１１を備えている。上記表示装置１１には操作器１に内蔵されたメモリーが予め記憶した文章が表示され、使用者はマッサージを受けながら現在自分が受けているマッサージ動作を表示装置１１を見ることによって知ることができる。
【００１１】
図２は上記操作器１を示す正面図である。図２からよくわかるように、操作器１は上記表示装置１１に加えて入／切スイッチ１２、コース選択スイッチ１３、お好み動作選択スイッチ１４を備えている。例えば全身自動コースのコースＢを選択する場合、入／切スイッチ１２をオンとしてコースＢのボタンを押すとマッサージ椅子２の内部に装備されたモミ玉が作動して前記の番号２、番号５、番号６、番号１１、番号１３、番号１８を一連のコースとして全身を万遍なくマッサージする。
【００１２】
コースＢのボタンを押すと、最初のマッサージ動作、すなわち、番号２に示した文章、すなわち「首の付け根までしっかりほぐします」と表示装置１１に表示される。このように、現在使用者が受けているマッサージ動作を表示装置１１に表示し、使用者に伝達することにより、使用者の意識を現在行われているマッサージ箇所に集中させ、マッサージ効果を上げることができる。
【００１３】
上記は全身を万遍なくマッサージするコースを選んだ場合について述べたが、例えば肩こりがひどい場合はお好み動作選択スイッチ１４から所望のマッサージ動作を選ぶ。この場合も、上記と同様に現在使用者が受けているマッサージ動作が表示装置１１に表示され、使用者の意識を現在行われているマッサージ箇所に集中させ、マッサージ効果を上げることができる。
【図面の簡単な説明】
【００１４】
【図１】本発明にかかるマッサージ機の構成を示す説明図である。
【図２】本発明にかかる操作器を示す正面図である。
【符号の説明】
【００１５】
Ａ          本発明にかかるマッサージ機
１          操作器
１１        表示装置
２          マッサージ椅子
【図１】
2006262964.tif 000003
【図２】
2006262964.tif 000004